(57)【要約】【課題】  フロントフレームにナイロン糸などの高張力糸を取付けてレンズに無理を掛けることなく保持するナイロール式メガネの提供。【解決手段】  高張力糸１２はフロントフレーム１の少なくとも３か所で止着され、レンズ外周に設けた凹溝１６に高張力糸１２を嵌めることで該高張力糸１２に働く張力によってレンズ外周の一部をフロントフレームのレンズ支えリム部６の当り片１１に当接して所定の位置に保持する。【選択図】    図１
2019203972.tif 000002
【特許請求の範囲】
【請求項１】
フロントフレームにナイロン糸などの高張力糸を取付けてレンズを保持するナイロール式メガネにおいて、上記高張力糸はフロントフレームの少なくとも３か所で止着され、レンズ外周に設けた凹溝に高張力糸を嵌めることで該高張力糸に働く張力によってレンズ外周の一部をフロントフレームに当接して所定の位置に保持したことを特徴とするナイロール式メガネ。
【請求項２】
上記フロントフレームは、中央ブリッジ部の両側に滑らかな凸状に湾曲したリム部を有したバーフレームに、上片と滑らかに湾曲した両当り片を有した概略門形のレンズ支えリム部を中央ブリッジ部に固定した構造とし、上記当り片の上端部と下端部に高張力糸の先端を止着すると共に上記リム部に水糸を係止し、該水糸をレンズ外周凹溝に嵌めてレンズ外周を上記当り片に当接した請求項１記載のナイロール式メガネ。
【請求項３】
上記リム部の２か所で水糸を係止した請求項２記載のナイロール式メガネ。
【発明の詳細な説明】
【技術分野】
【０００１】
本発明はナイロン糸等の高張力糸を備えてレンズを保持することが出来るフレームで、色々なレンズ形状、レンズサイズに対応出来、またレンズの欠けや割れを防止出来るようにしたナイロール式メガネに関するものである。
【背景技術】
【０００２】
メガネフレームの１つの型式としてナイロールフレームが多用されている。このナイロールフレームとはナイロン糸（水糸）などの高張力糸にてレンズ半分を保持するフレームであって、例えば一般的に図６に示しているような形態を成している。同図に示すフレームはあくまでも基本形態であり、実際には色々なデザインが施されて構成されることに成るが、円弧状のハーフリム（イ） の両端に水糸（ロ） の先端を止着し、ハーフリム(イ) と水糸（ロ） によってレンズ(ハ) が保持される。
【０００３】
そして、両ハーフリム(イ) 、(イ) はブリッジ（ニ)にて連結され、ハーフリム（イ）、（イ）の外側にはヨロイ(ホ) 、(ホ) が取付けられている。ツル（ヘ）、（ヘ）はこのヨロイ（ホ）、（ホ）に蝶番（ト）、（ト）などの継手を介して折り畳み出来るように取付けられている。
【０００４】
このナイロールフレームは両ハーフリム（イ）と水糸（ロ）にてレンズ（ハ）を保持している為に、リング状のフルリムを備えたメガネフレームより重量は軽くなり、特にフロント部が軽くなることで長時間にわたってメガネを掛けていても疲れが少ない。また、レンズ（ハ）の下側半分が水糸（ロ）である為に視界は広くなるといった利点もある。
【０００５】
同図に示すナイロールフレームに限るものではないが、円弧状に湾曲したハーフリムの形状が定まると、このハーフリムに嵌って水糸にて保持されるレンズの形状は必然的に定まり、同時にレンズの大きさも定まってしまう。
水糸（ロ）はレンズ外周に形成した凹溝に嵌り、ハーフリム（イ）の内周にも凹溝が設けられ、該レンズ（ハ）とハーフリム（イ）は概略瓢箪形断面の水糸を介して繋がっている。
【０００６】
レンズの形状並びに大きさが自由になるフレームとしては、リムを持たない縁なしメガネと称されるものがある。この縁なしメガネはブリッジを介して両レンズを左右対称となるように直接ネジ止めし、またレンズの外側にはヨロイが直接ネジ止めされる。そして、ブリッジのサイズを変えることで両レンズ間の距離も変えることが可能となり、レンズ形状も自由である。
しかし、リムを持たないでレンズに穴を開け、この穴にネジを挿入して直接ネジ止めすることで、ツルを開く際の応力及びフレームが捩られる際の応力は全てレンズに働き、その為にレンズが損傷する虞がある。
【０００７】
上記図６に示すナイロールフレームの場合もハーフリム（イ）とレンズ（ハ）は概略瓢箪形断面の水糸によって互いに連結・固定されている為に、ハーフリム（イ）の変形はそのままレンズ（ハ）に作用し、レンズ（ハ）を損傷する虞がある。
水糸を用いて構成したメガネフレームとしては、例えば特開平９−２５８１４１号に係る「ナイロールフレーム」、特開２００１−１９４６３１号に係る「ナイロールフレーム」など、そしてリムを持たないメガネフレームとしては、例えば特開２００２−２４４０８３号に係る「縁なしメガネ」、特開２００６−５８７１７号に係る「縁なしメガネ」など、色々知られている。
【０００８】
【特許文献１】特開平９−２５８１４１号に係る「ナイロールフレーム」
【特許文献２】特開２００１−１９４６３１号に係る「ナイロールフレーム」
【特許文献３】特開２００２−２４４０８３号に係る「縁なしメガネ」
【特許文献４】特開２００６−５８７１７号に係る「縁なしメガネ」
【発明の開示】
【発明が解決しようとする課題】
【０００９】
このように、水糸にてレンズを保持するナイロールフレームやリムを用いないでレンズを直接ネジ止めする縁なしメガネに関しては従来から色々知られているが、従来のナイロールフレームや縁なしメガネには上記のごとき問題がある。
本発明が解決しようとする課題はこれら問題点であり、レンズ形状が変わっても、またレンズサイズが変更に成っても対応することが出来ると共に、フロントフレームが変形してもレンズの損傷を抑制することが出来るナイロール式メガネを提供する。
【課題を解決するための手段】
【００１０】
本発明のナイロール式メガネはフロントフレームとナイロン糸などの高張力糸にてレンズを保持するように構成しているが、前記図６に示すようなレンズ外周の約１／２を拘束することが出来るハーフリムを持たず、基本的には高張力糸によってレンズを保持している。
しかし、レンズを所定の位置に位置決め・保持する為にフロントフレームを有している。このフロントフレームに高張力糸を少なくとも３か所にて止着し、所定の位置に位置決めされたレンズは高張力糸に働く張力で保持・固定される。
【００１１】
レンズはその外周の一部がフロントフレームに当接して位置決めされ、所定の位置に定まったレンズは高張力糸の張力で固定される。その為に、レンズ外周には凹溝が沿設され、この凹溝に高張力糸が嵌ってレンズを拘束している。
ところで、本発明はレンズ外周の一部を当接して位置決めするフロントフレームの形態及び当接箇所は自由であり、また高張力糸のフロントフレームへの止着箇所も限定しない。
【発明の効果】
【００１２】
本発明のナイロール式メガネは、フロントフレームの一部にレンズ外周の一部を当接し、この当接したフロントフレームからレンズが離れないように高張力糸によって拘束している。高張力糸はフロントフレームの少なくとも３か所で止着されていて、その為にフロントフレームの一部に外周が当たることでレンズは該フロントフレームに安定して取付けられる。
【００１３】
そして、ツルを開く際の曲げモーメントにてフロントフレームは曲げられ、又は捩られても、曲げ応力及び捩れ応力に伴う変形はレンズに作用しない。すなわち、本発明はそのレンズを基本的に高張力糸で保持しているもので、レンズの位置決めの為に一部がフロントフレームに当接している。したがって、フロントフレームの変形に影響されることはなく、その為にレンズの損傷を抑制することが出来る。
レンズの一部がフロントフレームに当接して位置決めされて高張力糸で拘束される為に、レンズの大きさが多少変わっても、またレンズの形状が多少変わっても、同じフロントフレームに取付け出来る。
【図面の簡単な説明】
【００１４】
【図１】本発明に係るナイロール式メガネを示す実施例。
【図２】本発明のナイロール式メガネを構成する水糸の止着構造。
【図３】本発明のナイロール式メガネを構成する水糸の他の止着構造。
【図４】リム部に水糸を止着する具体的な構造。
【図５】本発明に係るナイロール式メガネを示す他の実施例。
【図６】従来の一般的なナイロール式メガネを示している。
【発明を実施するための形態】
【００１５】
図１は本発明に係るナイロール式メガネを示す実施例であり、片側半分を表している。ナイロール式メガネはフロントフレーム１にレンズ２を取付け、該フロントフレーム１には継手３を介してツル４が折畳み出来るように連結している。
上記フロントフレーム１は１本の連続した線材で構成しているバーフレーム５と概略門形をしたレンズ支えリム部６から成っている。
【００１６】
上記バーフレーム５は滑らかな凹状に窪んだ中央ブリッジ部７の両側には滑らかな凸状に湾曲したリム部８，８を連続し、リム部８，８の外側には概略Ｌ形に湾曲して後方へ延びるヨロイ部９，９を連続して形成している。上記ツル４，４は該ヨロイ部９，９に継手３，３を介して連結している。
上記レンズ支えリム部６は概略門形を成し、上片１０と両当り片１１，１１を有している。上片１０はバーフレーム５の中央ブリッジ部７の下側に固定されている。
【００１７】
当り片１１はレンズ２の外周に沿って滑らかに湾曲している。同じく、バーフレーム５のリム部８もレンズ外周に沿って滑らかに湾曲している。
該レンズ２の外周は当り片１１に当接し、水糸１２に作用する張力によってレンズ２はフロントフレーム１に保持されているが、この水糸１２は図２に示すようにフロントフレーム１に取付けられている。
【００１８】
上記レンズ支えリム部６の当り片１１の上端部と下端部には小さい穴１３ａ，１３ｂが貫通し、この両穴１３ａ，１３ｂに水糸１２が挿通して先端が止着される。水糸１２の先端には溶融して形成されたボール１４ａ，１４ｂが設けられ、該ボール１４ａ，１４ｂは穴１３ａ，１３ｂを抜けない大きさとしている。
ここで、穴１３ａ，１３ｂに挿通した水糸１２の先端を止着する手段として上記ボール１４ａ，１４ｂに限るものではない。
また、リム部８の中央にも対を成して近接した小さい穴１５ａ，１５ｂが貫通し、水糸１２はこれら穴１５ａ，１５ｂを挿通している。
【００１９】
このように、フロントフレーム１に止着して取付けた水糸１２にレンズ２が嵌められ、図１のようになるが、レンズ２の外周には凹溝１６が設けられ、この凹溝１６に水糸１２が嵌められる。凹溝１６に嵌った水糸１２には所定の張力が働き、この張力によってレンズ２は当り片１１に当接して位置決めされる。
すなわち、ボール１４ａ，１４ｂを設けている水糸１２の先端側へレンズ２が引張られて位置決めされる。そして、水糸１２がレンズの外周凹溝１６に嵌っていることで、レンズ２は当り片１１から外れることはなく、同じくリム部８からレンズ２が外れることない。
【００２０】
リム部８の中央部に設けた穴１５ａ，１５ｂを水糸１２が挿通しているが、該リム部８に引き寄せる力は作用しない為に、レンズ２はリム部８に接触圧が付加されて当接はしない。しかし、水糸１２は穴１３ａ，１３ｂを挿通していることでリム部８からレンズ２が外れることはない。勿論、リム部８の内周に当接することは可能であるが、間に僅かな隙間を残して近接状態としてもよい。
【００２１】
したがって、当り片１１に当接し、リム部８に嵌るレンズ２でれば、レンズ２の大きさ及び形状を変えることも可能である。
水糸１２は当り片１１の上端部と下端部に設けた穴１３ａ，１３ｂとリム部８に設けた近接した両穴１５ａ，１５ｂの３点で止着されている。同図の穴１５ａ，１５ｂは分離しているが、水糸１２をリム部８に係止するもので、１つの穴として機能している。
【００２２】
このように、レンズ２はフロントフレーム１に水糸１２を介して取付けられる。レンズ２はその外周の一部が当り片１１に当接して位置決めされ、レンズ２のその他の部分は水糸１２だけで保持されている。したがって、フロントフレーム１が曲げ変形しても、捩れ変形しても、レンズ２に直接影響することはなく、変形に伴って水糸１２の張力が僅か変化するに過ぎない。その為に、レンズ２が欠けたり割れたりすることはなく、レンズ２は安定して保持される。
【００２３】
図３は水糸１２を４点で止着した実施例である。当り片１１の上端部と下端部には穴１３ａ，１３ｂが貫通して設けられ、リム部８には２か所に水糸１２の係止穴１５，１７を設けている。該係止穴１５は対を成して近接した２個の穴１５ａ，１５ｂを有し、また係止穴１７は対を成して近接した２個の穴１７ａ，１７ｂを有している。
そこで、この水糸１２にレンズ２が嵌るならば、水糸１２に働く張力でレンズ２の外周は当り片１１に当接して位置決めされる。
【００２４】
図４はリム部８に設けた係止穴１５の形態を表している。
（ａ）は前記図２、図３に示した場合であり、対を成して近接した２個の穴１５ａ，１５ｂが互いに分離して設けられている。
（ｂ）に示す係止穴は近接した２個の穴１８ａ，１８ｂを有しているが、該穴１８ａ，１８ｂは閉じておらず開口している。
（ｃ）は、水糸１２が係止する係止片９をリム部８に設けている。
図４（ａ）に示すように互いに独立した穴１５ａ，１５ｂより、（ｂ）に示す開口した穴１８ａ，１８ｂ及び係止片１９の方が水糸１２を係止し易く便利である。
【００２５】
図５は水糸がフロントフレーム１に取付けられる別形態を表している。
同図の場合、２本の水糸２０，２１で構成されている。フロントフレーム１の形態は同じであって、当り片１１の上端部と下端部にはそれぞれ小さい穴１３ａ，１３ｂが貫通して設けられ、リム部８の中央には互いに独立した２個の穴１５ａ，１５ｂを貫通して設けている。この実施例では２本の水糸２０，２１を用いているが、フロントフレーム１の３か所で水糸２０，２１は止着されている。
【００２６】
ところで、水糸２０は当り片１１の下端部に設けた穴１３ｂとリム部８に設けた穴１５ｂにその先端が挿通している。水糸２０の両先端にはボール２２ｂ，２２ｂが形成されて、該ボール２２ｂ，２２ｂは穴１３ｂ，１５ｂから抜けない大きさとしている。また、水糸２１の両先端にはボール２２ａ，２２ａが形成されて、該ボール２２ａ，２２ａは穴１３ａ，１５ａから抜けない大きさとしている。
【００２７】
レンズ２の外周に形成した凹溝には上記２本の水糸２０，２１が嵌められるが、これら水糸２０，２１に作用する張力で、レンズ２の外周は当り片１１に当接し、またリム部８にも当接する。
前記図２、図３に示す水糸１２の止着形態では、レンズ２の外周凹溝に水糸１２が嵌るならば、該水糸１２に働く張力でレンズ外周は当り片１１に当接して位置決めされるが、図５の場合では水糸２０，２１によってレンズ２の外周は当り片１１とリム部８に当接して位置決めされる。
【００２８】
上記実施例で示したフロントフレーム１は、両側にリム部８，８を設けたバーフレーム５とレンズ支えリム部６を中央部に有して構成しているが、このフロントフレーム１の形態はあくまでも１具体例に過ぎない。
フロントフレーム１の形態が如何様であっても、水糸は少なくとも３か所で止着され、レンズ２の外周の一部は水糸に働く張力で、フロントフレーム１に当接して位置決めされる。レンズ２がフロントフレーム１に当接する部分に関しても特に限定はしない。
【符号の説明】
【００２９】
１   フロントフレーム
２   レンズ
３   継手
４   ツル
５   バーフレーム
６   レンズ支えリム部
７   中央ブリッジ部
８   リム部
９   ヨロイ部
10   上片
11   当り片
12   水糸
13   穴
14   ボール
15   穴
16   凹溝
17   穴
18   穴
19   係止片
20   水糸
21   水糸
22   ボール
【図１】
2019203972.tif 000003
【図２】
2019203972.tif 000004
【図３】
2019203972.tif 000005
【図４】
2019203972.tif 000006
【図５】
2019203972.tif 000007
【図６】
2019203972.tif 000008